(57)【要約】【課題】  施設内を明るくし、防塵性、耐久性、耐候性、軽量化を図ることができる駐輪／駐車施設の屋根及びその取り付け方法を提供する。【解決手段】  駐輪／駐車屋根は、屋根部材としてガラス繊維にフッ素樹脂コートしたテント膜材を使用し、前記テント膜材を施設の天井骨材に渡って張設し、屋根張設方法は、ガラス繊維にフッ素樹脂コートした膜本体の端部にテンション膜を取付け、前記膜本体端部を施設の天井骨材に固定した後、他端側のテンション膜を引っ張って膜本体を天井に張設固定し、固定後テンション膜を切断するようにしたものである。【選択図】        図１
2006233704.tif 000002
【特許請求の範囲】
【請求項１】
屋根部材としてガラス繊維にフッ素樹脂コートしたテント膜材を使用し、前記テント膜材を施設の天井骨材に渡って張設したことを特徴とする駐輪／駐車施設屋根。
【請求項２】
ガラス繊維にフッ素樹脂コートした膜本体の端部にテンション膜を取付け、前記膜本体端部を施設の天井骨材に固定した後、他端側のテンション膜を引っ張って膜本体を天井に張設固定し、張設固定後、テンション膜を切断することを特徴とする駐輪／駐車施設の屋根張設方法。
【請求項３】
前記膜本体の天井骨材への固定は、前記膜本体の端部に取り付けた可撓性芯材の内側の膜本体面にアルミ板を当て、アルミ板を通して天井骨材にリベットを打ち込むことにより行うことを特徴とする請求項２記載の屋根張設方法。
【請求項４】
前記膜本体の後方端部が固定される横方向天井骨材に雨樋を取り付けることを特徴とする請求項２または３記載の屋根張設方法。
【請求項５】
天井骨材に延長用金具を取付け、延長用金具の平坦面上において被延長膜本体の端部を固定し、さらに前記平坦面上に延長する追加の膜本体端部を固定した後、追加の膜本体端部に取り付けたテンション膜を引っ張って追加の膜本体を天井に張設固定し、張設固定後、前記テンション膜を切断することを特徴とする請求項１記載の屋根張設方法。
【発明の詳細な説明】
【技術分野】
【０００１】
本発明は、駐輪／駐車施設屋根及びその張設方法に関する。
【背景技術】
【０００２】
従来、集合住宅や駅付近に設置する簡易型の駐輪／駐車施設の屋根としては、スレートなどのコンクリート製板材、トタン板等の鉄製板材、プラスチック製の板材等が使用されている。
【発明の開示】
【発明が解決しようとする課題】
【０００３】
駐輪／駐車施設の屋根材としてコンクリート製板材、鉄製板材を用いた場合、屋根の重量が重いため、太い支柱を使用する必要があるとともに、汚れ易く、耐久性や耐候性に問題があり、さらに施設内が暗くなるなどの問題があった。また、プラスチック製の板材等では軽量化を図ることが可能であるが、耐久性や耐候性に問題があった。
【課題を解決するための手段】
【０００４】
本発明は上記課題を解決しようとするもので、施設内を明るくし、防塵性、耐久性、耐候性、軽量化を図ることができる駐輪／駐車施設屋根及びその取り付け方法を提供することを目的とする。
そのために、本発明の駐輪／駐車屋根は、屋根部材としてガラス繊維にフッ素樹脂コートしたテント膜材を使用し、前記テント膜材を施設の天井骨材に渡って張設したことを特徴とする。
また、本発明の屋根張設方法は、ガラス繊維にフッ素樹脂コートした膜本体の端部にテンション膜を取付け、前記膜本体端部を施設の天井骨材に固定した後、他端側のテンション膜を引っ張って膜本体を天井に張設固定し、固定後テンション膜を切断することを特徴とする。
【発明の効果】
【０００５】
本発明によれば、ガラス繊維にフッ素樹脂コートしたテント膜材を屋根材として使用することにより、施設内を明るくし、防塵性、耐久性、耐候性、軽量化を図ることができる。また、テント膜本体の端部に可撓性の芯材を取付け、この芯材を天井骨材に沿って変形させて膜本体端部を天井骨材に固定し、他端に設けたテンション膜を引っ張ってテント膜を張設するようにしたので、屋根の設置を容易に行うことができる。
【発明を実施するための最良の形態】
【０００６】
以下、本発明の実施の形態について説明する。
図１は本実施形態の駐輪／駐車施設の例を示す外観図、図２は図１の駐輪／駐車施設の側断面図である。
駐輪／駐車施設１は、例えば、鉄製パイプ３を組み合わせた構造で、天井は支柱を構成するパイプから延びる部分を前側から後側に傾斜させ、このパイプ間にガラス繊維をフッ素樹脂加工したテントを張って構築した屋根２が設けられている。なお、土台４は設置される状況に応じて異なり、単に地面であったり、コンクリートを打ったものなどいろいろである。なお、屋根２の後方側端部には雨樋５を横方向に延びるパイプ３に取り付けて設け、雨樋５からは適宜の支柱パイプに沿って設けた排水管を取り付けて雨樋５に流れ込んだ雨水を地面に流す。
【０００７】
次に、図３、図４によりテントの張設方法について説明する。
図３は屋根材として使用するテント膜を説明する図である。本実施形態で屋根材として使用する膜本体２１は、ガラス繊維を使用し、その表面をフッ素樹脂コート加工処理したもので、例えば商品名ＦＧ−８Ｆ（（株）ＴＥＩＪＩＮ  ＴＥＮＴ社製）を使用する。このようなテント膜は、不燃性で透光性があって施設内を明るくすることができ、フッ素樹脂コート加工しているため、発水性、防塵性にすぐれるとともに、耐久性、耐候性にすぐれ、また、屋根の軽量化を図ることができる。
【０００８】
図３（ａ）に例示するように、屋根材が矩形の場合、膜本体２１の四方の端部には芯２２を縫い付け、或いは溶着等により取り付けている（図３（ｂ））。芯２２は、例えば４φ程度の軟質塩化ビニール丸紐である。芯２２が可撓性であるため施設のパイプに沿って変形させて膜本体端部をパイプに沿って取り付け易くしている。
【０００９】
膜本体２１には、膜本体と同材料、或いは異なる材料からなるテンション膜２３を２方向（例えば横、縦方向）の端部に延長して取り付け、テンション膜２３の端部にも芯２４を取り付ける。テンション膜２３はテント膜を張設する場合、芯２４の部分で治具等を利用して引っ張るためのものであるので、芯２４は可撓性である必要はなく、プラスチック性、金属性、木製等むしろ剛性のものが望ましい。
【００１０】
図４はテント膜の張設方法を説明する図である。
図４（ａ）に示すように、膜本体端部の芯２２を屋根骨材としてのパイプ３に沿わせ、これと反対側端部のテンション膜を引っ張って膜本体に張力を付与した状態で、パイプ３に沿って膜本体の上から複数のアルミ板３１を当てて、リベット３１でパイプに固定する。図４（ｂ）は治具３３を使用してテンション膜２３端部の芯２４を把持して引っ張ることにより、膜本体に張力を付与する場合の例を示しており、膜本体２１は屋根骨材としてのパイプ３にアルミ板３１を介してリベット３２で固定する。図３（ｃ）の例では、左側端部のパイプ３に芯２２の内側において膜本体２１をアルミ板３１を介してリベットで固定し、中間のパイプでは固定せず、右側端部のパイプにおいてテンション膜２３を引っ張って膜本体２１を芯の内側でアルミ板３１を介して固定している。もちろん、中間のパイプもリベットで固定するようにしてもよい。
【００１１】
このように、可撓性の芯２２を利用して膜本体端部をパイプ形状に沿って変形させてリベットで固定し、他方の端部をテンション膜で引っ張って他端側も固定することにより、容易にテント膜を張設することができる。
【００１２】
図５はテント膜の屋根への雨樋の取り付けを説明する図である。
図５（ａ）に示すように、施設の水平方向のパイプに沿って雨樋５を設けるとともに、垂直方向の支柱パイプに沿って排水管６を取り付ける。図５（ｂ）に示すように、屋根材としての膜本体２１が固定されるパイプ３の下面側に、膜本体２１から流れ落ちる雨水を受けるように取付具３５で固定する。膜本体２１は表面をフッ素樹脂加工しているため発水性があり、雨樋５を膜本体端部に設けることにより、有効に集水することができる。
【００１３】
図６はテント膜を延長する方法を説明する図である。
本実施形態では施設が大きい場合に、延長用金具を用いて膜本体を接続することにより対処する。膜本体の延長は天井骨材としてのパイプ３に図６（ｂ）に示す延長用金具４０を取り付けて行う。延長用金具４０は、パイプに取付けるための取付け部４０ａと、膜本体を接続するための平坦状の接続部４０ｂを有しており、このような延長用金具４０をパイプに沿って複数取り付けることにより、任意の大きさのテント膜に対応できる。
【００１４】
図６（ａ）に示すように、延長用金具４０の取付け部４０ａをパイプ３にリベット３２で固定し、接続部４０ｂ上で接続する両側の膜本体２１の端部を固定する。この固定方法は、膜本体端部をアルミ板と接続部４０ｂ間に挟持してリベットで固定する。次いで、接続部４０ｂをフラップ膜４１で覆い、接続部が露出しないようにする。延長接続する膜本体部分は、図４の場合と同様に、端部のテンション膜２３を引っ張って膜本体に張力を付与し、パイプ３にアルミ板３１を介してリベット固定する。このように、延長用金具を用いることにより、大きい施設にも対応することができる。
【産業上の利用可能性】
【００１５】
本発明によれば、駐輪／駐車施設内を明るくし、防塵性、耐久性、耐候性、軽量化を図ることができるので産業上の利用価値は大きい。
【図面の簡単な説明】
【００１６】
【図１】本実施形態の駐輪／駐車施設の例を示す外観図である。
【図２】図１の駐輪／駐車施設の側断面図である。
【図３】屋根材として使用するテント膜を説明する図である。
【図４】テント膜の張設方法を説明する図である。
【図５】テント膜の屋根への雨樋の取り付けを説明する図である。
【図６】テント膜を延長する方法を説明する図である。
【符号の説明】
【００１７】
１…駐輪／駐車施設、２…屋根、３…パイプ、４…土台、５…雨樋、６…排水間、２１…膜本体、２２…芯、２３…テンション膜、２４…芯、３１…アルミ板、３２…リベット、３３…治具、３５…取付具、４０…延長用金具、４１…フラップ膜。
【図１】
2006233704.tif 000003
【図２】
2006233704.tif 000004
【図３】
2006233704.tif 000005
【図４】
2006233704.tif 000006
【図５】
2006233704.tif 000007
【図６】
2006233704.tif 000008